(57)【要約】【課題】予約機器から録画機器へ予約命令を送り番組を予約する予約システムにおいて有料放送を扱うためにはＩＣカードを２機器間で差し替える必要があり、録画失敗やＩＣカードの破壊のリスクがあった。また、視聴制限の設定が機器間で異なるため制限されるべき番組と実際に制限される番組が一致しない場合があった。【解決手段】記録装置１３０が仮予約管理手段を具備し、予約機器からの予約される番組は、ユーザ操作により通常の予約に確定されるまで視聴制限かつ／または有料放送は仮予約として登録される。そしてユーザによる許諾操作で通常の予約として実行可能となる。【選択図】図１
2007166476.tif 000002
【特許請求の範囲】
【請求項１】
予約装置と視聴装置とを具備する番組予約システムにおいて、前記予約装置において番組を予約対象として選択するステップと、前記予約装置から前記視聴装置に前記選択した予約対象を指定する予約命令を送るステップと、前記予約装置において前記予約命令により指定される予約対象が視聴制限かつ／または有料放送の番組であると判断するステップと、前記予約装置において視聴制限かつ／または有料放送の番組であると判断された場合に仮予約として登録するステップと、前記予約装置においてユーザからの予約を許諾する操作により仮予約を通常の予約に確定するステップとを有することを特徴とする番組予約方法。
【請求項２】
前記予約装置において選択された前記予約対象が視聴制限かつ／または有料放送の番組である場合には前記予約命令に仮予約であることを表す情報を付加し、前記予約装置における視聴制限かつ／または有料放送の番組であると判断するステップにおいて前記仮予約であることを表す情報を用いて判断を行うことを特徴とする請求項１記載の番組予約方法。
【請求項３】
前記仮予約であることを表す情報が前記番組情報に含まれる視聴制限かつ／または有料放送に関する情報であることを特徴とする請求項２記載の番組予約方法。
【請求項４】
前記予約装置における視聴制限かつ／または有料放送の番組であると判断するステップにおいて予約装置が受信した番組情報を参照することで判断することを特徴とする請求項１記載の番組予約方法。
【請求項５】
予約装置と視聴装置とを具備する番組予約システムにおいて、前記予約装置において番組を予約対象として選択するステップと、前記予約装置から前記視聴装置に前記選択した予約対象を指定する予約命令を前記予約装置でユーザが予め許諾すると設定している視聴制限かつ／または有料放送の限度値を付与して送るステップと、前記予約装置において前記予約命令により指定される予約対象が前記限度値を満たしているかを判定するステップと、前記限度値を満たしているかの判定が真の場合には通常の予約に確定するステップと、前記予約装置において前記限度値を満たしているかの判定が偽の場合には仮予約として登録するステップと、前記予約装置においてユーザからの予約を許諾する操作により仮予約を通常の予約に確定するステップとを有することを特徴とする番組予約方法。
【請求項６】
予約装置と視聴装置とを具備する番組予約システムにおいて、前記予約装置において番組を予約対象として選択するステップと、前記予約装置において視聴制限かつ／または有料放送の番組を予約することを許諾するパスワードをユーザから入力するステップと、前記パスワードを照合するステップと、前記予約装置から前記視聴装置に前記選択した予約対象を指定する予約命令を前記パスワードの照合結果を付加して送るステップと、前記予約装置において前記パスワードの照合結果が真の場合には通常の予約として登録するステップと、前記予約装置において前記パスワードの照合結果が偽の場合には仮予約として登録するステップと、前記予約装置においてユーザからの予約を許諾する操作により仮予約を通常の予約に確定するステップとを有することを特徴とする番組予約方法。
【請求項７】
予約装置と視聴装置とを具備する番組予約システムにおいて、前記予約装置において番組を予約対象として選択するステップと、前記予約装置において視聴制限かつ／または有料放送の番組を予約することを許諾するパスワードをユーザから入力するステップと、前記予約装置から前記視聴装置に前記選択した予約対象を指定する予約命令を前記パスワードの値を付加して送るステップと、前記予約装置において前記パスワードと視聴装置の保持するパスワードとを照合するステップと、前記予約装置において前記照合結果が真の場合には通常の予約として登録するステップと、前記予約装置において前記パスワードの照合結果が偽の場合には仮予約として登録するステップと、前記予約装置においてユーザからの予約を許諾する操作により仮予約を通常の予約に確定するステップとを有することを特徴とする番組予約方法。
【請求項８】
予約装置と視聴装置とを具備する番組予約システムにおいて、前記予約装置が番組情報蓄積手段と入力手段と予約選択手段と命令送信手段とを具備し、前記番組情報蓄積手段が予約される候補の番組の番組情報を蓄積し、前記入力手段がユーザによる番組選択の操作を入力し、前記予約選択手段が前記操作により選択された番組に関する予約命令を生成し、前記命令送信手段が前記予約命令を前記視聴装置に送信し、
前記視聴装置が命令受信手段と仮予約管理手段と入力手段と予約管理手段と番組録画再生手段とを具備し、前記命令受信手段が前記予約装置からの前記予約命令を受信し、前記仮予約管理手段が前記予約命令にある番組が視聴制限かつ／または有料放送の番組であるかを判定し判定結果が真の場合には仮予約として管理し、前記入力手段が前記仮予約に対してユーザが許諾する操作を入力し、前記予約管理手段が前記入力手段が前記許諾した前記仮予約に関する番組を通常の予約として管理し、前記番組録画再生手段が前記予約管理手段の管理する前記予約の実行を行うことを特徴とする番組予約システム。
【請求項９】
前記予約装置が仮予約情報付与手段を具備し、前記仮予約情報付与手段が前記番組情報蓄積手段を参照して前記ユーザの選択した番組が視聴制限かつ／または有料放送である場合には前記予約命令に仮予約であることを表す情報を付加し、前記仮予約管理手段が視聴制限かつ／または有料放送の番組であるかを判定する際に前記仮予約であることを表す情報を参照することを特徴とする請求項８記載の番組予約システム。
【請求項１０】
前記仮予約であることを表す情報が前記予約装置の前記番組情報蓄積手段から得た前記番組情報に含まれる視聴制限かつ／または有料放送に関する情報であることを特徴とする請求項９記載の番組予約システム。
【請求項１１】
全記記録装置が番組情報蓄積手段を具備し、前記仮予約管理手段が前記予約命令にある番組が視聴制限かつ／または有料放送の番組であるかを判定する際に前記記録装置の前記番組情報蓄積手段から得た前記番組情報に含まれる視聴制限かつ／または有料放送に関する情報を参照することを特徴とする請求項８記載の番組予約システム。
【請求項１２】
予約装置と視聴装置とを具備する番組予約システムにおいて、前記予約装置が番組情報蓄積手段と入力手段と予約選択手段と仮予約情報付与手段と命令送信手段とを具備し、前記番組情報蓄積手段が予約される候補の番組の番組情報を蓄積し、前記入力手段がユーザによる番組選択の操作を入力し、前記予約選択手段が前記操作により選択された番組に関する予約命令を生成し、仮予約情報付与手段が前記予約装置でユーザが予め許諾すると設定している視聴制限かつ／または有料放送の限度値を前記予約命令に付与し、前記命令送信手段が前記予約命令を前記視聴装置に送信し、
前記視聴装置が命令受信手段と仮予約管理手段と入力手段と予約管理手段と番組録画再生手段とを具備し、前記命令受信手段が前記予約装置からの前記予約命令を受信し、前記仮予約管理手段が前記予約命令にある番組が前記予約命令に付与された前記限度値を超えているかを判定し判定結果が真の場合には仮予約として管理し、前記入力手段が前記仮予約に対してユーザが許諾する操作を入力し、前記予約管理手段が前記入力手段が前記許諾した前記仮予約に関する番組を通常の予約として管理し、前記番組録画再生手段が前記予約管理手段の管理する前記予約の実行を行うことを特徴とする番組予約システム。
【請求項１３】
予約装置と視聴装置とを具備する番組予約システムにおいて、前記予約装置が番組情報蓄積手段と入力手段と予約選択手段と仮予約情報付加手段、命令送信手段とを具備し、前記番組情報蓄積手段が予約される候補の番組の番組情報を蓄積し、前記入力手段がユーザによる番組選択の操作を入力すると共に視聴制限かつ／または有料放送の番組を予約することを許諾するパスワードを入力し、前記予約選択手段が前記操作により選択された番組に関する予約命令を生成し、前記仮予約情報付加手段が前記パスワードが前記予約装置に設定された値と一致したか否かの事象を前記予約命令に付加し、前記命令送信手段が前記予約命令を前記視聴装置に送信し、
前記視聴装置が命令受信手段と仮予約管理手段と入力手段と予約管理手段と番組録画再生手段とを具備し、前記命令受信手段が前記予約装置からの前記予約命令を受信し、前記仮予約管理手段が前記予約命令に付与された前記事象が真の場合には通常の予約として偽の場合には仮予約として管理し、前記入力手段が前記仮予約に対してユーザが許諾する操作を入力し、前記予約管理手段が前記入力手段が前記許諾した前記仮予約に関する番組を通常の予約として管理し、前記番組録画再生手段が前記予約管理手段の管理する前記予約の実行を行うことを特徴とする番組予約システム。
【請求項１４】
予約装置と視聴装置とを具備する番組予約システムにおいて、前記予約装置が番組情報蓄積手段と入力手段と予約選択手段と仮予約情報付加手段、命令送信手段とを具備し、前記番組情報蓄積手段が予約される候補の番組の番組情報を蓄積し、前記入力手段がユーザによる番組選択の操作を入力すると共に視聴制限かつ／または有料放送の番組を予約することを許諾するパスワードを入力し、前記予約選択手段が前記操作により選択された番組に関する予約命令を生成し、前記仮予約情報付加手段が前記パスワードの値を前記予約命令に付加し、前記命令送信手段が前記予約命令を前記視聴装置に送信し、
前記視聴装置が命令受信手段と仮予約管理手段と入力手段と予約管理手段と番組録画再生手段とを具備し、前記命令受信手段が前記予約装置からの前記予約命令を受信し、前記仮予約管理手段が前記予約命令に付与された前記パスワードの値が前記記録装置のパスワードと照合し照合結果が真の場合には通常の予約として偽の場合には仮予約として管理し、前記入力手段が前記仮予約に対してユーザが許諾する操作を入力し、前記予約管理手段が前記入力手段が前記許諾した前記仮予約に関する番組を通常の予約として管理し、前記番組録画再生手段が前記予約管理手段の管理する前記予約の実行を行うことを特徴とする番組予約システム。
【発明の詳細な説明】
【技術分野】
【０００１】
本発明は、番組を記録する装置に対し、記録すべき番組を外部の装置から指定する方法に関するものである。
【背景技術】
【０００２】
テレビにリモコン信号を送信するプローブを接続し、ＤＶＤレコーダなどの記録装置に録画予約の登録を行う番組予約システムが市販されている。例えば、特許文献１では、上記の番組予約システムについて開示してある。このシステムにおいては、テレビから記録装置に対して赤外線信号に変調した録画予約登録の命令を送ることができる。例えば、テレビが表示する電子番組表のなかからユーザが番組を選択し、その番組に対して録画予約操作を行うと、テレビから記録装置に対して録画予約命令が送られ録画予約が記録装置に登録される。
【０００３】
さて、特許文献１に記載の番組予約システムを、デジタル放送に適用させた構成を従来例として以下では説明する。
【０００４】
まず、従来例の説明に先だって、デジタル放送の特質について説明する。デジタル放送では、特定の番組に対し未成年者による視聴を制限する視聴制限や、番組や放送チャンネルに対して課金を行う有料放送などの機能が実現されている。
【０００５】
視聴制限は、ｐａｒｅｎｔａｌ  ｒａｔｉｎｇと呼ばれる視聴可能な年齢を表す情報を番組に付与して放送することで実現される。そして、予め受信装置に登録しておいた年齢を超える場合には、パスワード入力なしではその番組を視聴させない。視聴制限に関する方式は、日本の放送の標準規格である非特許文献１で詳細に記載されている。
【０００６】
一方、有料放送は、番組または放送チャンネルを視聴する際に課金が発生する放送である。放送の映像・音声は暗号化されて送られており、これを暗号解読するために、受信機に挿入したＢ−ＣＡＳカードと呼ばれる一種のＩＣカードを用いる。ＩＣカードが挿入されていない、もしくはＩＣカードにその放送の契約情報が登録されていない場合には、受信機はその番組が有料放送であることはわかっても、ＰＰＶやティアといった課金方法や金額につい知ることができない。なぜなら、有料放送であるかの情報は暗号化されず平文で送られてくるが、課金方法や金額についてはＩＣカードによる暗号解読の結果でしか分からない様に暗号化されて送られてくるからである。有料放送に関する方式は、日本の放送の標準規格である非特許文献２で詳細に記載されている。
【０００７】
当初はデジタル放送の受信機能はテレビ側に搭載しているが、記録装置側には登録されていないため、テレビのモニター出力からの映像音声を記録装置に送り、それを録画していた。しかし、デジタル放送の受信機能を実現するハードウェアが廉価になり、またデジタルデータのまま録画したい要望などから、録画機自身にデジタル放送の受信機能を搭載するようになってきている。
【０００８】
ここで本発明を使用しない従来の番組予約システムの詳細を図を用い説明する。
【０００９】
なお以下では、複数の図の間で同一の構成要素には同一の符号を付与することで、説明を省略する。また、同じ構成要素が同一の図に複数現れる場合には、符号の末尾にアルファベット１文字を付与するものとする。
【００１０】
図７は、本発明を使用しない従来の番組予約システムの構成図である。
【００１１】
符号７００は、従来の番組予約システム全体である。番組予約システム７００は、受信アンテナ７１０と、予約装置７２０と、記録装置７３０とから構成される。
【００１２】
受信アンテナ７１０は、放送電波を受信し電気信号に変換する。受信アンテナ７１０は地上波放送では八木アンテナやバーアンテナ、衛星放送ではＢＳやＣＳ放送を受信するパラボラアンテナなどで良い。あるいは番組の伝送がケーブル放送やインターネット通信技術を用いた方式である場合には、受信アンテナ７１０としてケーブルモデムなどを用いても良い。
【００１３】
予約装置７２０は、放送される番組を受信し、映像や音声といった知覚可能な物理現象に変換してユーザに提示する。予約装置７２０の例として、デジタル放送対応のテレビが考えられる。
【００１４】
予約装置７２０は、ＩＣカード７２１と、暗号解読手段７２２と、受信手段７２３と、提示合成手段７２４と、提示手段７２５と、番組情報蓄積手段７２６と、入力手段７２７と、予約選択手段７２８と、命令送信手段７２９とから構成される。
【００１５】
ＩＣカード７２１は、暗号鍵の保持と暗号の解読、どの有料放送を視聴契約しているかの情報の保持、どの番組を購入したかの情報の蓄積などを行う。ＩＣカード７２１は、日本のデジタル放送で用いるＢ−ＣＡＳカードで良い。
【００１６】
暗号解読手段７２２は、挿入されたＩＣカード７２１を用いることで、暗号化された番組の映像音声を解読することができる。
【００１７】
受信手段７２３は、受信アンテナからの放送信号を入力し、放送信号の中から受信すべき放送チャンネルに対するデジタルデータを抽出する。番組の映像音声と、電子番組表を構成したり選局を行うための番組情報とを選択的に抽出し出力する。受信手段７２３は、例えば、デジタル放送のチューナーモジュールとデマルチプレクサとＭＰＥＧデコーダとから構成される。
【００１８】
提示合成手段７２４は、受信手段７２３の出力する映像音声信号と、予約選択手段からのＯＳＤ（Ｏｎ  Ｓｃｒｅｅｎ  Ｄｉｓｐｌａｙ）グラフィックス及び操作音などの合成音とを、合成した映像音声信号を出力する。
【００１９】
提示手段７２５は、提示合成手段７２４の出力する映像音声信号をユーザが知覚可能な光や音といった物理現象に変換する。提示手段７２５は、液晶ディスプレイやプラズマディスプレイパネルと、スピーカーやヘッドフォンとから構成される。
【００２０】
番組情報蓄積手段７２６は、受信手段７２３の出力する番組情報を蓄積する。番組情報蓄積手段７２６は半導体メモリなどで良い。
【００２１】
入力手段７２７は、ユーザからの物理的な操作を入力して、電気信号に変換する。入力手段７２７は、リモコンとリモコンの受光部、各装置本体に付けられたハードウェアスイッチ、マイクと音声認識エンジン、カメラと画像認識エンジンなどで良い。
【００２２】
予約選択手段７２８は、予約装置全体を制御しユーザに録画すべき番組を選択させる。予約選択手段７２８は番組情報蓄積手段７２６に格納された番組情報から電子番組表のＯＳＤ表示のグラフィックス表示イメージを作成し、表示合成手段７２４に出力する。
【００２３】
また、予約選択手段７２８は、入力手段７２７に対するユーザ操作を受け取り、電子番組表のフォーカス移動やメニュー表示などＧＵＩ（Ｇｒａｐｈｉｃ  Ｕｓｅｒ  Ｉｎｔｅｒｆａｃｅ）を実現する。
【００２４】
更に、予約選択手段７２８は、予めユーザが値を設定した制限情報を保持している。制限情報は、視聴可能な年齢や、購入可能な金額の上限、そして、こうした制限を解除するためのパスワードなどである。
【００２５】
録画予約の対象として指定した番組のｐａｒｅｎｔａｌ  ｒａｔｅと制限情報に設定された視聴可能な年齢とを比較し、ｐａｒｅｎｔａｌ  ｒａｔｅの方が低い年齢である場合には、制限を外すためのパスワード入力を要求する。正しいパスワードが入力手段７２７に入力された場合に限り予約が成功する。また、番組の課金方法や金額が予め設定された条件を満たさない場合も同様に制限を外すためのパスワード入力を要求する。そして、パスワードの比較を同様に行う。ここで番組の課金方法や金額は、番組情報蓄積手段７２６が保持した当該番組の属性情報を、暗号解読手段７２２を通じＩＣカード７２１に送り解釈することで得られる。
【００２６】
予約が成功した場合には、命令送信手段７２９に予約登録を行う命令情報を送る。ここで命令情報の例を図を用いて説明する。
【００２７】
図８は、本発明を使用しない従来の番組予約システムにおける命令情報の例である。命令情報８１０は、１つの番組の予約登録を要求する情報である。命令情報８１０は、放送局を特定する列８１１、放送開始と終了日時を表す列８１２、そして番組を識別するシリアル番号である列８１３から構成されている。
【００２８】
命令送信手段７２９は、予約選択手段７２８の出力する予約命令を、記録装置７３０に送信する。通信が赤外線で行われる場合は、赤外線信号の変調器とＬＥＤなどの赤外線信号発生デバイスでよい。あるいは有線通信であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のＣＥＣ（Ｃｏｎｓｕｍｅｒ  Ｅｌｅｃｔｒｏｎｉｃｓ  Ｃｏｎｔｒｏｌ）コマンドなどで送る場合にはＨＤＭＩの送信ＬＳＩで良い。
【００２９】
次に記録装置７３０について説明する。記録装置７３０は、予約装置７２０からの命令情報に従い、録画予約を登録し、放送時間になるとその番組を録画する。
【００３０】
記録装置７３０は、番組記録再生手段７３１と、予約管理手段７３２と、命令受信手段７３３とＩＣカード７２１ａと、暗号解読手段７２２ａと、受信手段７２３ａと、提示合成手段７２４ａと、番組情報蓄積手段７２６ａと、入力手段７２７ａと、から構成される。
【００３１】
ここで、説明をしていない構成要素についてのみ説明する。
【００３２】
番組記録再生手段７３１は、予約管理手段７３２からの要求に従い、番組の録画と再生を行う。番組録画再生手段７３１は、番組の映像音声を記録可能なハードディスクや大容量の半導体メモリで良い。
【００３３】
予約管理手段７３２は、録画予約のスケジュールの保持と、録画の実行を管理する。予約管理手段７３２は、予約選択手段７２８と同様の形式の制限情報を保持している。しかし、制限情報はユーザが各装置に対し個別に設定するため、設定された値は等しいとは限らない。
【００３４】
命令受信手段７３３は、予約装置７２０の命令送信手段７２９が出力する命令情報を受信する。通信が赤外線で行われる場合は、赤外線信号の受信デバイスでよい。あるいはＨＤＭＩの場合はＨＤＭＩの受信ＬＳＩでよい。
【００３５】
予約管理手段７３２は、命令受信手段７３３からの命令情報により、録画予約のスケジュールを受け取るとその値を保持し、予約の開始時刻になると、受信手段７２３ａで選局を行い、番組録画再生手段７３１への記録開始を指示する。
【００３６】
録画の実行の際には、予約装置７２０と同様に、視聴制限と有料放送に関する制限情報との比較処理が行われる。
【特許文献１】特開平１１−４１５６６号公報
【非特許文献１】（社）電波産業会「デジタル放送に使用する番組配列情報」，ＡＲＩＢＳＴＤ−Ｂ１０
【非特許文献２】（社）電波産業会「デジタル放送におけるアクセス制御方法」，ＡＲＩＢＳＴＤ−Ｂ２５
【発明の開示】
【発明が解決しようとする課題】
【００３７】
従来の番組予約システムは、デジタル放送で本格的に導入された視聴制限や有料放送などに十分対応していなかった。
【００３８】
まず、有料放送であるが、有料放送を行っている放送事業者の運用によるが、ＩＣカードごとの契約である。例えば広く用いられているチャンネル毎購入するティア課金の場合、同じユーザが使用する場合でも、ＩＣカード２枚に契約するには、月々２倍の料金を支払う必要があり、現実的ではない。
【００３９】
予約装置に契約のあるＩＣカードが挿入されていなければ、その番組が有料放送であることが分かっていても課金方式や金額を知ることができない。このため、予約装置で予約を行う際、金額が分からないため、ユーザは購入すべきか判断できなかった。
【００４０】
一方、記録装置に契約のあるＩＣカードが挿入されていなければ、実際に録画を行う際に、番組の映像音声が暗号解読できず映像音声が全く記録できない。
【００４１】
従ってユーザはＩＣカードを予約装置と記録装置の間で、その都度差し替える必要があった。差し替え忘れると録画に失敗するし、差し替える作業自体によりＩＣカードの物理的・電気的破壊のリスクが増していた。
【００４２】
次に、制限情報（すなわち視聴可能な年齢、購入可能な金額の上限、制限を解除するパスワード）は、受信手段を搭載している予約装置と記録装置のそれぞれに格納されている。各装置の制限情報の具体的な値は異なる可能性がある。このため、予約装置の制限情報で予約可能かの判断と、記録装置の制限情報として予約可能かの判断とは一致しない。このため、視聴機器における制限情報による判断は意味を持たず、視聴機器側で制限情報を利用した予約可能かの判断が不可能であった。
【００４３】
上記の問題を解決するために、制限情報や、ＩＣカードで判定した情報を録画機器から視聴機器の方向で送る、すなわち、録画機器と視聴機器とが双方向の通信で接続されることを前提とする方法も考えられる。しかし、双方向通信を行うには一方向の通信に比べ相対的に高価なハードウェアを搭載する必要があり、コスト的に問題があった。更には、ＩＣカードに関する情報が通信路上に流れることと、セキュリティ上問題があった。
【課題を解決するための手段】
【００４４】
上記課題を解決するために、本発明による番組予約方法は、予約装置と視聴装置とからなる番組予約システムにおいて、前記予約装置において視聴制限かつ／または有料放送の番組を予約対象として選択するステップと、前記予約装置から前記視聴装置に前記選択した予約対象を指定する予約命令を送るステップと、前記予約装置において前記予約命令により指定される予約対象が視聴制限かつ／または有料放送の番組であると判断するステップと、前記予約装置において視聴制限かつ／または有料放送の番組であると判断された場合に仮予約として登録するステップと、前記予約装置においてユーザからの予約を許諾する操作により仮予約を通常の予約に確定するステップとを有している。
【発明の効果】
【００４５】
本発明による番組予約システムでは、有料放送に対して、契約してあるＩＣカードが１枚しか無い場合でも、有料放送を予約装置から記録装置に予約登録できる。
【００４６】
次に、予約装置と記録装置とで、設定されている制限情報（すなわち視聴可能な年齢、購入可能な金額の上限、制限を解除するパスワード）が異なる場合でも、予約装置から記録装置に予約登録できる。
【００４７】
更には、予約装置と記録装置とで、予約装置から記録装置への一方向の通信しかできない場合であっても実現可能である上に、ＩＣカードに関するデータなど秘匿すべき情報が通信路上に流れることがなく、かつ極めて少ない情報を送るだけでよい。すなわち、赤外線通信や暗号化されていないシリアル通信など極めてコストの安価な通信ハードウェアを持ってしても実施可能である。
【発明を実施するための最良の形態】
【００４８】
以下、本発明を実施するための最良の形態として、図面を参照しながら説明する。
【００４９】
（実施の形態１）
実施の形態１について図面を用いて詳細に説明する。
【００５０】
図１は、本発明の実施の形態１における番組予約システムの構成図である。
【００５１】
番組予約システム１００は、受信アンテナ７１０と予約装置１２０と記録装置１３０とから構成されている。
【００５２】
以下では既出の構成要素に対しては説明を省略する。
【００５３】
予約装置１２０は、ＩＣカード７２１と、暗号解読手段７２２と、受信手段７２３と、提示合成手段７２４と、提示手段７２５と、番組情報蓄積手段７２６と、入力手段７２７と、予約選択手段７２８と、仮予約情報付与手段１２１と、命令送信手段７２９とから構成される。
【００５４】
仮予約情報付与手段１２１は予約選択手段７２８が出力する予約命令に仮予約情報を付加する。そして、命令送信手段７２９に仮予約情報を付加した予約命令を出力する。また、仮予約情報付与手段１２１は番組情報蓄積手段７２６と接続され、仮予約情報の内容を生成する際に当該番組に関する番組情報を得ている。ここで、ユーザーが、テレビ又はＳＴＢ（セットトップボックス）等により構成される予約装置１２０から電子プログラムガイド（ＥＰＧ）等を利用して予約を行うことにより、予約装置１２０から仮予約情報を記録装置１３０に送信した場合であっても、記録装置１３０での記録は実行されず、記録装置１３０において、再度ユーザーが録画の要求を行うことにより、予約装置１２０からの仮予約情報が実行されることとなる。つまり、番組を指定する時刻や機器と、予約を登録（確定）する時刻や機器が異なることとなる。
【００５５】
図２は本発明の予約命令の説明図であり、２１０は第１の実施の形態における予約命令の例である。予約命令２１０には仮予約か否かを表す列である仮予約属性２１１が付加されている。仮予約属性がＮｏの場合には記録装置１３０に対して通常の予約として登録する様指示し、Ｙｅｓの場合には仮予約として登録する様指示している。仮予約属性の値の決定方法についてはフローチャートを用い後で説明する。
【００５６】
次に記録装置１３０は、ＩＣカード７２１ａと暗号解読手段７２２ａと受信手段７２３ａと提示合成手段７２４ａと番組情報蓄積手段７２６ａと入力手段７２７ａと仮予約管理手段１３１と番組記録再生手段７３１と予約管理手段７３２と命令受信手段７３３とから構成される。
【００５７】
仮予約管理手段１３１は、命令受信手段７３３の出力する予約命令を入力し、予約命令により生成される予約が、通常の予約か仮予約かを判定する。そして、予約管理手段７３２と連携して仮予約を格納管理する。
【００５８】
次にフローチャートを用いて、本発明の番組予約システムの動作について詳細に説明する。
【００５９】
図３は、本発明の実施の形態１における予約装置での予約登録処理のフローチャート図である。
【００６０】
（ステップ３０１）ユーザの何らかの操作により予約する番組を選択する。例えば、予約選択手段７２８が番組情報蓄積手段７２６から得た番組情報を用いて電子番組表を表示し、入力手段７２７でカーソルを移動して選択したり、番組のチャンネルと放送日時を直接入力したり、番組を特定するための番号を入力すればよい。
【００６１】
（ステップ３０２）ステップ３０１で選択された番組を録画する際、記録装置１３０の受信装置１３０の受信手段７２３ａを使用する場合はステップ３０４へ、予約装置１２０の受信手段７２３を受信装置１３０に貸し出す場合はステップ３０３へ進む。受信手段を貸し出すのは、受信手段７２３で受信できるが、受信手段７２３ａでは受信できない放送局や番組がある場合に一般に行われるものである。
【００６２】
（ステップ３０３）受信手段７２３を記録装置１３０に貸し出す場合は、従来と同様の予約処理を、予約装置１２０と記録装置１３０の間で行えばよい。詳細については本発明とは直接関係無いため省略する。
【００６３】
（ステップ３０４）ステップ３０１で指定された番組が視聴制限のある番組である場合にはステップ３０６へ、それ以外の場合はステップ３０５へ進む。視聴制限のある番組かの判定は、仮予約情報付与手段１２１が、予約選択手段７２８により選択された番組に関する番組情報を番組情報蓄積手段７２６に問い合わせることで行われる。
【００６４】
（ステップ３０５）ステップ３０１で指定された番組が有料放送の番組である場合にはステップ３０６へ、それ以外の場合にはステップ３０７に進む。予約装置１２０に契約されたＩＣカードが挿入されている場合、放送チャンネルに対して月々一定額だけ課金されるティア課金であるか判定できる。ティア課金の場合は予約する／しないに関わらず月々の課金額は一定であるため、有料放送ではない場合と同様にステップ３０７に進んでも良い。
【００６５】
（ステップ３０６）仮予約情報付与手段１２１が、仮予約属性４１１を予約命令に付与することで、予約命令を仮予約に設定する。
【００６６】
（ステップ３０７）
命令送信手段７２９が、ステップ３０６で生成した予約命令を記録装置１３０に送信する。
【００６７】
次に記録装置１３０で、予約装置１２０から予約命令を受け取った後動作についてフローチャートを用いて詳細に説明する。
【００６８】
図４は、本発明における記録装置での予約確定処理のフローチャート図である。
【００６９】
（ステップ４０１）予約管理手段７３２は、保持している録画予約のリストを、提示合成手段７２４ａに描画命令を送り、提示合成手段７２４ａでグラフィックス映像を生成する。図１の構成では予約装置１２０の提示手段７２５を用いてユーザに提示している。
【００７０】
図５は、本発明における記録装置での予約一覧の表示の例である。予約一覧は５００は、各行が１件の予約からなる表形式のグラフィックス表示であり、各行は放送局５０１、放送日時５０２、番組名５０３、属性５０４から構成される。
【００７１】
このうち属性５０４であるが、予約手段により仮予約と指定された行５１０、５２０において「仮予約」と表示される。「仮予約」と表示された場合、この予約はこのままでは放送時刻になっても録画を実行しない。ユーザは仮予約を通常の予約に確定する作業を行う必要があることを表している。
【００７２】
また、「仮予約」の後の文字列「ＴＶ」「Ｎｅｔ」は、予約命令を送ってきた装置を表している。「ＴＶ」は予約装置１２０を、「Ｎｅｔ」は、図１の構成図では省略したが、ネットワーク経由で第２の予約装置が記録装置に接続されている場合を表している。
【００７３】
「仮予約」と同じ欄に「有料」とあるが、これはこの予約対象の番組が有料放送であり購入処理が完了していないことが仮予約になっている原因であることをユーザに示している。
【００７４】
また、「仮予約」と同じ欄に「視聴制限」とあるが、これはこの予約対象の番組には視聴制限があり、視聴制限を解除するパスワードがまだ未入力であることが仮予約になっている原因であることをユーザに示している。
【００７５】
（ステップ４０２）ステップ４０１で表示された予約一覧に表示された番組から、予約を確定して通常の予約にすべき項目をユーザが選択する操作を行う。一覧表示に表示されているカーソルを、入力手段７２７ａによって上下ボタンで移動させ、決定ボタンを押すなどの操作でよい。
【００７６】
（ステップ４０３）ステップ４０２で選択した番組が仮予約であれば、ステップ４０５へ、それ以外の場合にはステップ４０４へ進む。
【００７７】
（ステップ４０４）ステップ４０２で選択した予約に関する詳細を表示する。そして処理を終了する。例えば、番組内容の記述や、番組記録生成手段７３１に記録する際のビットレートや、どの言語の音声を録画するか等を含めて表示する。
【００７８】
（ステップ４０５）ステップ４０２で選択した予約の番組の属性が、記録装置１３０の制限情報を満たしていればステップ４０４へ、それ以外の場合はステップ４０６へ進む。
【００７９】
（ステップ４０６）予約管理手段７３２から、提示合成手段７２４ａへ表示要求を出し、視聴可能な年齢や購入の金額などの制限を外すためのパスワードの入力要求画面の表示を行う。
【００８０】
（ステップ４０７）ユーザがパスワードを入力手段７２７ａを用い入力する
（ステップ４０８）ステップ４０７で入力したパスワードの照合を行い、成功した場合にはステップ４０９へ、それ以外の場合には処理を終了する。
【００８１】
（ステップ４０９）ステップ４０２で選択した仮予約を確定し、通常の予約として予約管理手段７３２に保持させる。
【００８２】
（実施の形態２）
実施の形態２について図面を用いて詳細に説明する。実施の形態２では、仮予約属性２１１を予約命令に付加する変わりに、当該番組の番組情報のなかの視聴制限と有料放送に関する情報を付加する。
【００８３】
図２の予約命令２２０は、実施の形態２の予約命令の例である。予約命令中の項目２２１は、この番組の番組情報にあるｐａｒｅｎｔａｌ  ｒａｔｅの値である。また項目２２２は、この番組を購入した際の価格である。
【００８４】
予約装置１２０において、予約命令２２０は、図３のフローチャートのステップ３０６において番組情報蓄積手段７２６を参照することで生成される。より詳細には、項目２２１の値は番組情報蓄積手段７２６を参照して得られる。また、項目２２２の値は、番組情報蓄積手段７２６から得た情報を暗号解読手段７２２を経由してＩＣカード７２１に問い合わせることで得られる。
【００８５】
また、記録装置１３０においては、図４のフローチャートのステップ４０３で、予約命令に項目２２１と２２２があることで、実施の形態１の予約命令２１０における仮予約の項目２１１と同様の効果を奏す上に、記録手段において番組情報蓄積手段７２６ａを参照することなく項目２２１、２２２の値を得ることができる。デジタル放送に置いては同じ受信アンテナ７１０から、予約装置１２０と記録装置１３０とが番組情報を取得していても、番組情報が所定の放送局に偏在して送信されている運用上、ユーザが欲しい番組情報を取得できない放送局を選局し続けていた場合には、番組情報の更新が遅れたり取得できなかったりすることがある。従って、予約装置１２０で番組情報が取得できていても、記録装置１３０で取得できていなかったり更新が遅れていたりする可能性がある。予約装置１２０から番組情報の視聴制限や有料放送に関する情報を予約命令に含めて記録装置１３０に送ることで、上記の課題を回避することが可能になる。
【００８６】
（実施の形態３）
実施の形態３で用いられる、予約命令２３０の形式は仮予約に設定する情報が付加されず、従来の予約命令と同じ形式で送られる。
【００８７】
このため、実施の形態３に置いては、予約装置１２０には仮予約情報付与手段１２１が存在しなくて良い。また、予約装置１２０の動作のフローチャートである図３においても、ステップ３０４、３０５、３０６は不要となる。
【００８８】
一方、記録装置１３０の動作フローチャート図４において、予約が仮予約か判定するステップ４０３が以下の様に異なる。すなわち、仮予約管理手段１３１が、番組情報蓄積手段７２６ａを参照し予約命令の番組に関する番組情報を引き出す。そして、この番組に視聴制限があるか、有料放送であるか、あるいはその両方である場合において、予約管理手段７３２の保持する制限情報を満たしていなければ仮予約と判定する。
【００８９】
（実施の形態４）
実施の形態４では、予約装置１２０の予約選択手段７２８が保持している制限情報を予約命令に付与して記録装置１３０に送る。予約命令にある番組が、視聴制限があったり有料放送の場合にのみ上記付与を行ってもよい。
【００９０】
記録装置１３０では、仮予約かの判定を行う図４のステップ４０３において、予約命令にある番組の番組情報を記録装置１３０の番組情報蓄積手段７２６ａから得て、その値と予約命令にある予約装置１２０の制限情報とを比較し、制限情報を満たしていない場合に仮予約であると判定して良い。
【００９１】
予約装置１２０の制限条件を行うことで、たとえ記録装置１３０にいかなる制限情報が設定されていたとしても、予約装置１２０で設定した制限情報と全く同じ条件で予約を行うことができるため、ユーザにとって直感的に非常に分かりやすい。
【００９２】
（実施の形態５）
実施の形態５では、予約装置１２０で視聴制限や有料放送のある番組を予約する場合には、必ずパスワード入力をユーザに促す。
【００９３】
図６は、本発明の実施の形態５における予約装置１２０での予約登録処理のフローチャート図である。図３のフローチャートで説明していないステップについてのみ説明する。
【００９４】
（ステップ６０１）パスワード入力要求画面表示する。このステップで入力を期待しているパスワードは、予約装置１２０の予約選択手段７２８に保持された制限情報に含まれるパスワード値である。予約先学手段７２８が、提示合成手段７２４を経由して提示手段７２５に描画する。
【００９５】
（ステップ６０２）ユーザ入力手段７２７を操作してパスワードを入力する。
【００９６】
（ステップ６０３）ステップ６０２で入力したパスワードが、予約選択手段７２８に保持される制限情報に含まれるものと照合した結果が真ならステップ４０９へ、それ以外の場合はステップ４０８へ進む。
【００９７】
（ステップ６０４）予約命令に対して許諾情報を仮予約情報として付与する。図２の２５０が、実施の形態５の予約命令の例である。予約命令２５０にはパスワード許諾が成功したか否かの情報が項目２５１として格納されている。
【００９８】
（実施の形態６）実施の形態６では、実施の形態５のパスワード許諾が成功したかの情報の変わりに、記録装置１３０の予約管理手段７３２が保持する制限情報７３２に含まれるパスワード値を直接仮予約情報として付与する。なお、予約命令を盗聴される場合のセキュリティを鑑み、パスワードの値を一方向関数により変換した値に変換して送っても良い。
【００９９】
録画装置１３０のパスワードを用いるため、予約装置１２０で制限情報が正しく設定されていない場合においても正常に予約登録することが可能となる。
【産業上の利用可能性】
【０１００】
映像音声、音声のみ、本雑誌などの各種のデジタルコンテンツが、デジタル放送やデジタルネットワーク通信によりユーザに送られる際の課金処理および視聴制限処理一般に利用可能である。特に、視聴機器から録画機器への予約命令が一方向の通信で行われる場合であっても利用可能である。
【図面の簡単な説明】
【０１０１】
【図１】本発明における番組予約システムの構成図
【図２】本発明における命令情報を示す図
【図３】本発明の実施の形態１における予約装置での予約登録処理のフローチャート
【図４】本発明における記録装置での予約確定処理のフローチャート
【図５】本発明における記録装置での予約一覧の表示例を示す図
【図６】本発明の実施の形態６における予約装置での予約登録処理のフローチャート
【図７】本発明を使用しない従来の番組予約システムの構成図
【図８】本発明を使用しない従来の番組予約システムにおける命令情報を示す図
【符号の説明】
【０１０２】
１００    番組予約システム
１２０    予約装置
７２１，７２１ａ    ＩＣカード
７２２，７２２ａ    暗号解読手段
７２３，７２３ａ    受信手段
７２４，７２４ａ    提示合成手段
７２５    提示手段
７２６，７２６ａ    番組情報蓄積手段
７２７，７２７ａ    入力手段
７２８    予約選択手段
１２１    仮予約情報付与手段
７２９    命令送信手段
１３０    記録装置
１３１    仮予約管理手段
７３１    番組記録再生手段
７３２    予約管理手段
７３３    命令受信手段
７１０    受信アンテナ
【図１】
2007166476.tif 000003
【図２】
2007166476.tif 000004
【図３】
2007166476.tif 000005
【図４】
2007166476.tif 000006
【図５】
2007166476.tif 000007
【図６】
2007166476.tif 000008
【図７】
2007166476.tif 000009
【図８】
2007166476.tif 000010